(57)【要約】      （修正有）【課題】被写体の高輝度部の特徴に起因した撮像系の光学的な要因による画質低下を低減する。【解決手段】撮影画像データから高輝度部を検出し（Ｓ３）、検出した高輝度部の位置が画角内の右上又は左下に存在する場合には、画像処理方法を変更する（Ｓ５）。例えば、フィルタ特性を変更したり、輪郭補正の強度を調整したりして、通常処理に対して解像度を抑える画像処理方法に変更する。また、補間処理を変更したり、判別処理のパラメータを調整したりして、同時化処理の画像処理方式を変更する。このように、撮影画角内の高輝度部に起因する画質低下を、画像をぼかすことにより低減させる。【選択図】図５
2010268295.tif 000002
【特許請求の範囲】
【請求項１】
被写体を撮影して画像信号を取得する撮影手段と、
設定された処理条件に基づいて前記画像信号を画像処理して撮影画像を生成する画像処理手段と、
前記画像信号に基づいて高輝度部を検出する検出手段と、
前記検出された高輝度部の特徴を抽出する抽出手段と、
前記抽出された特徴に基づいて、前記高輝度部によって撮影画像の画質が低下するか否かを判定する判定手段と、
前記判定手段の判定結果に基づいて処理条件を設定する設定手段であって、撮影画像の画質が低下すると判定された場合に画質の低下を低減するための処理条件を設定する設定手段と、
を備えたことを特徴とする撮影装置。
【請求項２】
前記判定手段は、前記抽出された特徴に基づいて、前記高輝度部によって撮影画像にゴーストが発生するか否かを判定し、
前記設定手段は、撮影画像にゴーストが発生すると判定された場合に発生したゴーストを目立たなくするための処理条件を設定することを特徴とする請求項１に記載の撮影装置。
【請求項３】
前記撮像素子は二次元的に配列された複数の受光素子を備え、該複数の受光素子にはそれぞれ分光成分を受光するためのＲ、Ｇ、Ｂ各色のカラーフィルタが所定の配列で配設され、
前記抽出手段は、前記検出された高輝度部の撮影画角内の位置を抽出し、
前記判定手段は、前記カラーフィルタの配列と前記抽出された撮影画角内の位置に基づいて、撮影画像の画質が低下するか否かを判定することを特徴とする請求項１又は２に記載の撮影装置。
【請求項４】
前記カラーフィルタの配列は、同一色のカラーフィルタが所定の方向に隣接するように配置された配列であり、
前記判定手段は、前記所定の方向と前記抽出された撮影画角内の位置に基づいて、撮影画像の画質が低下するか否かを判定することを特徴とする請求項３に記載の撮影装置。
【請求項５】
前記カラーフィルタの配列は、同一色のカラーフィルタが撮影画角に対して斜め方向に隣接するように配設された配列であり、
前記判定手段は、前記抽出された撮影画角内の位置が前記斜め方向と略平行な対角線に対応する撮影画角の隅であるときに、撮影画像の画質が低下すると判定することを特徴とする請求項４に記載の撮影装置。
【請求項６】
前記設定手段は、前記画質の低下を低減するための処理条件として前記画像信号を所定のぼかし度合いでぼかす処理を設定することを特徴とする請求項１から５のいずれかに記載の撮影装置。
【請求項７】
前記ぼかす処理は、前記画像信号にフィルタをかける処理であることを特徴とする請求項６に記載の撮影装置。
【請求項８】
前記ぼかす処理は、輪郭補正を通常より弱く施す処理であることを特徴とする請求項６に記載の撮影装置。
【請求項９】
前記ぼかす処理は、撮影画角全体をぼかす処理であることを特徴とする請求項６から８のいずれかに記載の撮影装置。
【請求項１０】
前記ぼかす処理は、撮影画角のうち特定の領域だけをぼかす処理であることを特徴とする請求項６から８のいずれかに記載の撮影装置。
【請求項１１】
前記被写体から人物の顔を検出する手段を備え、
前記特定の領域は、検出された人物の顔の領域であることを特徴とする請求項１０に記載の撮影装置。
【請求項１２】
前記特定の領域は、色が平坦な領域であることを特徴とする請求項１０に記載の撮影装置。
【請求項１３】
前記複数の受光素子は、第１の受光素子と第２の受光素子から構成され、
前記第１の受光素子と前記第２の受光素子とを同じ露光時間で露光し、高解像度の画像を取得する高解像度撮影モードと、前記第１の受光素子と前記第２の受光素子とを異なる露光時間で露光し、ダイナミックレンジを拡大した画像を取得する広ダイナミックレンジ撮影モードと、を切り換えるモード設定手段を備え、
前記判定手段は、高解像度撮影モードに設定された場合に撮影画像の画質が低下するか否かを判定することを特徴とする請求項１から１２のいずれかに記載の撮影装置。
【請求項１４】
撮影手段によって被写体を撮影して取得した画像信号を、設定された処理条件に基づいて画像処理して撮影画像を生成する画像処理工程と、
前記画像信号に基づいて高輝度部を検出する検出工程と、
前記検出された高輝度部の特徴を抽出する抽出工程と、
前記抽出された特徴に基づいて、前記高輝度部によって撮影画像の画質が低下するか否かを判定する判定工程と、
前記判定工程の判定結果に基づいて処理条件を設定する設定工程であって、撮影画像の画質が低下すると判定された場合に画質の低下を低減するための処理条件を設定する設定工程と、
を備えたことを特徴とする画像処理方法。
【発明の詳細な説明】
【技術分野】
【０００１】
本発明は撮影装置及び画像処理方法に係り、特に、被写体の高輝度部に起因する画質低下を低減する撮影装置及び画像処理方法に関する。
【背景技術】
【０００２】
被写体に高輝度部が存在すると、この高輝度部が撮影された画像の画質に悪影響を与えることがある。例えば、いくつかのブロックに分割された画面の輝度の平均値を用いてゲイン調整を行う場合に、ブロック内に小さくしかも高輝度の部分が存在すると、ブロックの平均輝度が高くなってしまい、全体的に暗い映像として表示されてしまう。また、ブロック毎に個別のゲインを与えている場合、上記の小さくしかも高輝度の部分を含むブロックのみが、暗く表示されてしまい、ブロックの境界付近が不自然になってしまう。
【０００３】
このような問題点に対し、特許文献１には、従来のブロックデータ生成部による機能に加え、画面内での最大輝度とその最大輝度部分がどのブロックに存在するかを検出する機能を備えさせることにより、ブロック内の平均輝度と最大輝度の差が大きく輝度のばらつきが有ると判断された場合には上記ブロックデータ生成部から得られるブロック内での平均輝度から算出されるゲイン調整の大きさをさらに大きくするようにゲイン調整する信号処理装置が記載されている。この装置によれば、従来の欠点であった局所的に高輝度な部分によってブロック内の平均輝度が高いと判断されてゲイン調整が不十分になりブロック全体が暗く表示されることを防止し、また、暗い部分のゲインが正常に制御されるようになり、はっきりとした画面表示が可能になる。
【先行技術文献】
【特許文献】
【０００４】
【特許文献１】特開平１１−１３６５７１号公報
【発明の概要】
【発明が解決しようとする課題】
【０００５】
本願出願人は、被写体に高輝度部が存在する場合に、高輝度部の位置と撮像素子のカラーフィルタの配列に関連して画質低下が生ずる現象を見出した。この問題点に対し、特許文献１を含む従来技術において、その課題を解決する技術を開示したものはない。
【０００６】
本発明はこのような事情に鑑みてなされたもので、被写体の高輝度部の特徴に起因した撮像系の光学的な要因による画質低下を低減する撮影装置及び画像処理方法を提供することを目的とする。
【課題を解決するための手段】
【０００７】
前記目的を達成するために請求項１に記載の撮影装置は、被写体を撮影して画像信号を取得する撮影手段と、設定された処理条件に基づいて前記画像信号を画像処理して撮影画像を生成する画像処理手段と、前記画像信号に基づいて高輝度部を検出する検出手段と、前記検出された高輝度部の特徴を抽出する抽出手段と、前記抽出された特徴に基づいて、前記高輝度部によって撮影画像の画質が低下するか否かを判定する判定手段と、前記判定手段の判定結果に基づいて処理条件を設定する設定手段であって、撮影画像の画質が低下すると判定された場合に画質の低下を低減するための処理条件を設定する設定手段とを備えたことを特徴とする。
【０００８】
請求項１に記載の発明によれば、画像内の高輝度部の特徴に基づいて、高輝度部によって撮影画像の画質が低下するか否かを判定し、撮影画像の画質が低下すると判定された場合に画質の低下を低減するための処理条件を設定するようにしたので、被写体の高輝度部の特徴に起因した撮像系の光学的な要因による画質低下を低減することができる。
【０００９】
請求項２に示すように請求項１に記載の撮影装置において、前記判定手段は、前記抽出された特徴に基づいて、前記高輝度部によって撮影画像にゴーストが発生するか否かを判定し、前記設定手段は、撮影画像にゴーストが発生すると判定された場合に発生したゴーストを目立たなくするための処理条件を設定することを特徴とする。
【００１０】
これにより、ゴーストによる画質低下を低減することができる。
【００１１】
請求項３に示すように請求項１又は２に記載の撮影装置において、前記撮像素子は二次元的に配列された複数の受光素子を備え、該複数の受光素子にはそれぞれ分光成分を受光するためのＲ、Ｇ、Ｂ各色のカラーフィルタが所定の配列で配設され、前記抽出手段は、前記検出された高輝度部の撮影画角内の位置を抽出し、前記判定手段は、前記カラーフィルタの配列と前記抽出された撮影画角内の位置に基づいて、撮影画像の画質が低下するか否かを判定することを特徴とする。
【００１２】
これにより、適切に撮影画像の画質が低下するか否かを判定することができる。
【００１３】
請求項４に示すように請求項３に記載の撮影装置において、前記カラーフィルタの配列は、同一色のカラーフィルタが所定の方向に隣接するように配置された配列であり、前記判定手段は、前記所定の方向と前記抽出された撮影画角内の位置に基づいて、撮影画像の画質が低下するか否かを判定することを特徴とする。
【００１４】
これにより、同一色のカラーフィルタが所定の方向に隣接するように配置された場合であっても、適切に撮影画像の画質が低下するか否かを判定することができる。
【００１５】
請求項５に示すように請求項４に記載の撮影装置において、前記カラーフィルタの配列は、同一色のカラーフィルタが撮影画角に対して斜め方向に隣接するように配設された配列であり、前記判定手段は、前記抽出された撮影画角内の位置が前記斜め方向と略平行な対角線に対応する撮影画角の隅であるときに、撮影画像の画質が低下すると判定することを特徴とする。
【００１６】
これにより、同一色のカラーフィルタが撮影画角に対して斜め方向に隣接するように配置された場合であっても、適切に撮影画像の画質が低下するか否かを判定することができる。
【００１７】
請求項６に示すように請求項１から５のいずれかに記載の撮影装置において、前記設定手段は、前記画質の低下を低減するための処理条件として前記画像信号を所定のぼかし度合いでぼかす処理を設定することを特徴とする。
【００１８】
これにより、適切に画質の低下を低減することができる。
【００１９】
請求項７に示すように請求項６に記載の撮影装置において、前記ぼかす処理は、前記画像信号にフィルタをかける処理であることを特徴とする。
【００２０】
これにより、適切にぼかすことができる。
【００２１】
請求項８に示すように請求項６に記載の撮影装置において、前記ぼかす処理は、輪郭補正を通常より弱く施す処理であることを特徴とする。
【００２２】
これにより、適切にぼかすことができる。
【００２３】
請求項９に示すように請求項６から８のいずれかに記載の撮影装置において、前記ぼかす処理は、撮影画角全体をぼかす処理であることを特徴とする。
【００２４】
これにより、適切画質の低下を低減することができる。
【００２５】
請求項１０に示すように請求項６から８のいずれかに記載の撮影装置において、前記ぼかす処理は、撮影画角のうち特定の領域だけをぼかす処理であることを特徴とする。
【００２６】
これにより、適切画質の低下を低減することができる。
【００２７】
請求項１１に示すように請求項１０に記載の撮影装置において、前記被写体から人物の顔を検出する手段を備え、前記特定の領域は、検出された人物の顔の領域であることを特徴とする。
【００２８】
これにより、画質の劣化が目立つ人物の顔の領域をぼかすことができる。
【００２９】
請求項１２に示すように請求項１０に記載の撮影装置において、前記特定の領域は、色が平坦な領域であることを特徴とする。
【００３０】
これにより、画質の劣化が目立つ色が平坦な領域をぼかすことができる。
【００３１】
請求項１３に示すように請求項１から１２のいずれかに記載の撮影装置において、前記複数の受光素子は、第１の受光素子と第２の受光素子から構成され、前記第１の受光素子と前記第２の受光素子とを同じ露光時間で露光し、高解像度の画像を取得する高解像度撮影モードと、前記第１の受光素子と前記第２の受光素子とを異なる露光時間で露光し、ダイナミックレンジを拡大した画像を取得する広ダイナミックレンジ撮影モードと、を切り換えるモード設定手段を備え、前記判定手段は、高解像度撮影モードに設定された場合に撮影画像の画質が低下するか否かを判定することを特徴とする。
【００３２】
前記目的を達成するために請求項１４に記載の画像処理方法は、撮影手段によって被写体を撮影して取得した画像信号を、設定された処理条件に基づいて画像処理して撮影画像を生成する画像処理工程と、前記画像信号に基づいて高輝度部を検出する検出工程と、前記検出された高輝度部の特徴を抽出する抽出工程と、前記抽出された特徴に基づいて、前記高輝度部によって撮影画像の画質が低下するか否かを判定する判定工程と、前記判定工程の判定結果に基づいて処理条件を設定する設定工程であって、撮影画像の画質が低下すると判定された場合に画質の低下を低減するための処理条件を設定する設定工程とを備えたことを特徴とする。
【発明の効果】
【００３３】
本発明によれば、被写体の高輝度部の特徴に起因した撮像系の光学的な要因による画質低下を低減することができる。
【図面の簡単な説明】
【００３４】
【図１】デジタルカメラ１０の全体構成の一例を示す図
【図２】撮像素子２の各受光素子とカラーフィルタの配列の一例について示す図
【図３】画質劣化の発生原理を説明するための図
【図４】高輝度部が存在した場合に画質劣化の原因になると考えられる位置と高輝度部が存在した場合に幾何学的な模様が発生する可能性のある領域を示す図
【図５】画質低下を低減する処理を示すフローチャート
【発明を実施するための形態】
【００３５】
以下、添付図面に従って本発明を実施するための形態について説明する。
【００３６】
［デジタルカメラの構成］
図１は、本発明が適用されたデジタルカメラの電気的構成を示すブロック図である。
【００３７】
同図に示すように、本実施の形態のデジタルカメラ１０は、光学系１、撮像素子２、撮像処理部３、高輝度検出部４、処理方式制御部５、画像処理部６等を備えて構成される。
【００３８】
光学系１は、図示しない撮影レンズ、メカニカルシャッタ、絞り、ＩＲカットフィルタを含んで構成され、被写体光を透過させる。
【００３９】
撮像素子２は、光学系１の後段に配置されており、光学系１を透過した被写体光を受光する。撮像素子２の受光面には多数の受光素子が二次元的に配列されており、各受光素子に対応して赤（Ｒ）、緑（Ｇ）、青（Ｂ）の原色カラーフィルタが所定の配列構造で配置されている。受光面上に結像された被写体光は、各受光素子によって電気信号に変換され、蓄積される。なお、各受光素子のカラーフィルタの前面には、光の利用効率を上げるためのマイクロレンズが形成されている。
【００４０】
図２に、撮像素子２の各受光素子とカラーフィルタの配列の一例について示す。
【００４１】
撮像素子２の受光面は、第１の画素（受光素子）２ａから構成される列と第２の画素２ｂから構成される列とが交互に配置されており、各列が隣の列に対して上下に１／２画素ずつずらして配置された所謂ハニカム画素配列となっている。
【００４２】
また、第１の画素２ａから構成される列は、Ｒ画素とＧ画素が交互に配置された列とＢ画素とＧ画素が交互に配置された列とがそれぞれ交互に配列されており、同様に、第２の画素２ｂから構成される列は、Ｒ画素とＧ画素が交互に配置された列とＢ画素とＧ画素が交互に配置された列とがそれぞれ交互に配列されている。また、斜め方向に隣り合う第１の画素２ａと第２の画素２ｂとが同じ色となるように配置されている。
【００４３】
各列は、列毎に図示しない１つの垂直転送路を備えており、第１の画素２ａの列の垂直転送路への読み出しと第２の画素２ｂの列の垂直転送路への読み出しは、個別の読み出しパルスによって独立して行うことが可能となっている。
【００４４】
また、撮像素子２は、図示しないオーバーフロードレイン電極に印加される電子シャッタパルスにより、第１の画素２ａ及び第２の画素２ｂに蓄積された電荷を撮像素子２の基板側に排出することが可能となっている。
【００４５】
各画素に蓄積された信号電荷は、前述の読み出しパルスにより垂直転送路に読み出される。垂直転送路は、この読み出された信号電荷を１ラインずつ図示しない水平転送路に転送する。さらに水平転送路は、垂直転送路から転送された１ライン分の信号電荷を、１画素分ずつ出力する。
【００４６】
したがって、第１の画素２ａと第２の画素２ｂにおいて同じ露光時間で被写体光を受光し、１枚の画像として高解像度の画像を取得することもできるし、第１の画素２ａと第２の画素２ｂとで垂直転送路への読み出しタイミングを異ならせることで、露光時間の異なる２枚の画像を撮影し、この２枚の画像からダイナミックレンジを拡大した１枚の画像を取得することもできる。
【００４７】
なお、撮像素子２の画素の配列は、この例に限定されるものではなく、全ての画素を一度に垂直転送路へ読み出す構成でも構わない。
【００４８】
図１の説明に戻り、撮像処理部３は、図示しない相関二重サンプリング回路（ＣＤＳ）、自動ゲインコントロール回路（ＡＧＣ）、及びＡ／Ｄ変換器を含んで構成される。ＣＤＳは、画像信号に含まれるノイズの除去を行い、ＡＧＣは、ノイズ除去された画像信号を所定のゲインで増幅する。Ａ／Ｄ変換器は、ＡＧＣにおいて増幅されたアナログの画像信号を所定ビットの階調幅を持ったデジタルの画像信号に変換する。この画像信号は、いわゆるＲＡＷデータであり、画素ごとＲ、Ｇ、Ｂの濃度を示す階調値を有している。
【００４９】
高輝度検出部４は、撮像処理部３から出力されたＲＡＷデータに基づいて、撮影画角内の高輝度部を検出し、検出された高輝度部が撮影画像の画質劣化の原因になるか否かを判定する。ここでは、撮影画角内における撮像素子２の信号レベルが所定値以上の部分を高輝度部として検出し、検出した高輝度部が撮影画角の隅に存在するか否かどうかを判定する。
【００５０】
処理方式制御部５は、高輝度検出部４の判定結果に応じて、画像処理部６の画像処理の方式を変更する。例えば、検出された高輝度部が撮影画像の画質劣化の原因になると判定された場合に、通常処理に対して画像の解像度を抑えたり、同時化処理の方式を変更したりする。
【００５１】
画像処理部６は、撮像処理部３から出力されたＲＡＷデータに基づいて同時化処理等の像構造に関する画像処理を行い、輝度、色差信号を生成する。この画像処理は、処理方式制御部５により指定された画像処理方法に基づいて行う。
【００５２】
［画質低下の発生原理］
画質劣化の発生原理について、図３を用いて説明する。
【００５３】
図３に示す１１はＩＲカットフィルタであり、２１はマイクロレンズである。図示しない撮影レンズから入射した入射光１００は、ＩＲカットフィルタ１１を透過した後、撮像素子２の表面に形成されたマイクロレンズ２１により集光されて各受光素子に受光される。
【００５４】
ここで、入射光が高輝度である場合には、マイクロレンズ２１の表面で反射した光１０１がＩＲカットフィルタ１１に到達する。ＩＲカットフィルタ１１において、Ｒ成分以外の光１０２は透過し、図示しない撮影レンズ方向へ戻る。しかし、Ｒ成分の光１０３は、再びマイクロレンズ２１に到達する。したがって、入射光１００のゴースト光が、入射位置とは異なる位置の受光素子に受光されることになる。
【００５５】
ここで、図２に示すように、第１の画素２ａのＲ画素と第２の画素２ｂのＲ画素が、斜め方向に隣り合うように配置されているため、このゴースト光が隣り合うＲ画素の一方に入射すると、隣り合うＲ画素の受光量に段差が生じてしまう。この段差が幾何学的な模様となり、撮影画像の画質が低下する。
【００５６】
この幾何学的な模様は、Ｒ画素の配列方向と略平行な対角線に対応する撮影画角の隅に高輝度部が存在する場合に発生することがある。これは、隣り合うＲ画素の配列方向と上記の反射とが同方向となり、かつ、入射光の入射角が小さくなるためと考えられる。
【００５７】
図４は、撮像素子２の受光面を示す図である。同図の領域２２ａ及び２２ｂは、高輝度部が存在した場合に画質劣化の原因になると考えられる領域であり、領域２３ａ及び２３ｂは、領域２２ａ又は２２ｂに高輝度部が存在した場合に幾何学的な模様が発生する可能性のある領域である。
【００５８】
［画質低下の低減処理］
次に、図５を用いてデジタルカメラ１０の高輝度部に起因する画質低下（ゴーストの発生による画質低下）の低減処理について説明する。
【００５９】
まずデジタルカメラ１０によって、被写体の撮影を行う（ステップＳ１）。
【００６０】
デジタルカメラ１０は、第１の画素２ａと第２の画素２ｂにおいて同じ露光時間で被写体光を受光し、１枚の高解像度の画像を取得する高解像度撮影モードと、第１の画素２ａと第２の画素２ｂとで露光時間の異なる２枚の画像を撮影し、この２枚の画像からダイナミックレンジを拡大した１枚の画像を取得する広ダイナミックレンジ撮影モードを選択することができる。ここでは、高解像度撮影モードで撮影を行う。
【００６１】
高輝度検出部４は、撮像処理部３から出力された撮影画像データを取得し（ステップＳ２）、撮影画像データ内の信号レベルが所定値以上の位置を高輝度部として検出する。さらに、検出した高輝度部の撮影画角内の位置を抽出する（ステップＳ３）。
【００６２】
さらに、高輝度検出部４は、抽出した高輝度部の位置が撮影画像の画質劣化の原因になる撮影画像の隅であるか否かを判定する（ステップＳ４）。
【００６３】
前述のように、図２に示すカラーフィルタ配列の撮像素子を用いた場合には、図４の２２ａ、２２ｂに示すように画角内の右上又は左下に存在する高輝度部がゴーストを発生させ、画質低下を引き起こすと考えられるために、高輝度部がこの位置に存在するか否かを判定する。ここでは、２２ａ及び２２ｂは１／４円弧状の領域であり、その中心は撮影画角の角であり、半径は撮影画角の対角線の１／１０であるとする。なお、この領域の大きさは、図示しない撮影レンズ、撮像素子２、ＩＲカットフィルタ１１、マイクロレンズ２１等の性能等を踏まえて適宜決めればよい。
【００６４】
抽出した高輝度部の位置が、画角内の右上又は左下（図４の２２ａ又は２２ｂの領域）に存在する場合には、処理方式制御部５は、画像処理方法を変更する（ステップＳ５）。
【００６５】
例えば、フィルタ特性を変更したり、輪郭補正の強度を調整したりして、通常処理に対して解像度を抑える画像処理方法に変更する。また、補間処理を変更したり、判別処理のパラメータを調整したりして、同時化処理の画像処理方式を変更してもよい。
【００６６】
このように、撮影画角内の高輝度部に起因する画質低下を、画像をぼかすことにより低減させる。したがって、高輝度部により画像内に発生するゴーストが、目立たなくなる。
【００６７】
なお、本実施の形態では、撮影画角全体の画像処理方法を変更しているが、特定の領域についてだけ画像処理方法を変更してもよい。
【００６８】
例えば、色が一様で平坦な背景の部分だけ画像処理方法を変更してもよいし、人物の顔を検出する顔検出手段を備え、撮影画角内に人物の顔が検出された場合に、検出した人物の顔の領域だけ画像処理方法を変更してもよい。このように、視覚的に目立つ領域だけをぼかして、高輝度部に起因する画質低下を低減してもよい。撮影画角全体ではなく、特定の領域だけ画像処理方法を変更することで、画像処理に要する時間を短縮することもできる。
【００６９】
また、高輝度部が画角内の右上又は左下以外の場所に存在する場合、及び高輝度部が存在しない場合は、画像処理方法を変更せず、通常の画像処理方法を選択する（ステップＳ６）。
【００７０】
画像処理部６は、撮影した画像信号に対して、処理方式制御部５から指定された画像処理方法によって画像処理を行う（ステップＳ７）。
【００７１】
このように、画角内の問題が発生すると考えられる位置に高輝度部が存在するか否かを判定し、存在する場合には画像処理方法を変更し、周波数を低下させて画像をぼかすことにより、画質低下を低減させることが可能となる。
【００７２】
なお、高輝度部の有無により、画像をぼかす処理の有無を切り換えるように構成してもよい。すなわち、画角内の問題が発生すると考えられる位置に高輝度部が存在するか否かを判定し、存在しない場合には画像をぼかす処理を行わず、存在する場合に画像をぼかす処理を行うことにより、画質低下を低減させることが可能となる。
【００７３】
本実施の形態では、同色の画素が斜め方向に隣り合って配置されたカラーフィルタを用いているため、高輝度部の位置が画角の隅であると画質低下を起こしやすい。このため、高輝度検出部４は、高輝度部が画角の隅にあるか否かを判別した。したがって、同色の画素が横方向に隣り合って配置されたカラーフィルタを用いた場合は、高輝度検出部４は、高輝度部が画角の左右辺にあるか否かを判別すればよい。
【００７４】
その他にも、画質低下を起こしやすい高輝度部の大きさ、形状、明るさの程度等が予めわかっている場合には、その大きさ、形状、明るさ等を判別し、判定結果に応じて処理方式制御部５が画像処理部６の画像処理の方式を変更してもよい。
【００７５】
このように、カラーフィルタの色の配列に応じて画質低下を起こしやすい位置を判別することで、どのような配列のカラーフィルタを用いた場合であっても、高輝度部に起因する画質低下を低減することができる。なお、本発明は、補色のカラーフィルタを用いた場合にも適用可能である。
【符号の説明】
【００７６】
１…光学系、２…撮像素子、２ａ…第１の画素、２ｂ…第２の画素、３…撮像処理部、４…高輝度検出部、５…処理方式制御部、６…画像処理部、１０…デジタルカメラ、１１…ＩＲカットフィルタ、２１…マイクロレンズ、２２ａ、２２ｂ…高輝度部が存在した場合に画質劣化の原因になると考えられる位置、２３ａ、２３ｂ…２２ａ、２２ｂに高輝度部が存在した場合に幾何学的な模様が発生する可能性のある領域、１００…入射光、１０１…マイクロレンズによる反射光、１０２…ＩＲカットフィルタでの透過光、１０３…ＩＲカットフィルタによる反射光
【図１】
2010268295.tif 000003
【図２】
2010268295.tif 000004
【図３】
2010268295.tif 000005
【図４】
2010268295.tif 000006
【図５】
2010268295.tif 000007